(57)【要約】【課題】入水側接続部材のフィルタ栓の着脱の際、操作部を回転しても本体部内でＯリングが回転しない給湯器及び入水側接続部材を提供する。【解決手段】入水側接続管５は、本体部１０とフィルタ栓２０を備える。本体部１０は、第一給水流路１０１、第二給水流路１０２、第三給水流路１０３、排水流路１０４を備える。排水流路１０４には、雌螺子部１０６が形成される。フィルタ栓２０は、操作部４０とフィルタ部３０を備える。操作部４０は、本体部１０の雌螺子部１０６に螺合する。フィルタ部３０は、第二給水流路１０２内に配置される。フィルタ部３０は、操作部４０に対して相対的に回転可能に設けられる。フィルタ部３０には、Ｏリング６０が装着される。Ｏリング６０は、排水流路１０４の内壁面との隙間を埋める。よって、フィルタ栓２０を取り外す為に操作部４０を回転させても、Ｏリング６０は排水流路１０４内で回転しない。【選択図】図４
2020079653.tif 000002
【特許請求の範囲】
【請求項１】
筐体の底部に固定される入水側接続部材を備え、
前記入水側接続部材は、
水供給管が接続され、当該水供給管から供給される水が流入する入口と、当該入口から流入した水が流れる流路とを備える本体部と、
前記本体部に着脱可能に設けられるフィルタ栓と
を備え、
前記フィルタ栓は、
前記本体部の前記流路と連通する孔部に螺合可能に取り付けられ、使用者によって一軸線を中心に回転操作される操作部と、
前記操作部と同軸上に形成され、前記孔部を介して前記流路内に配置されることで、前記流路を流れる水から異物を除去するフィルタ部と、
前記孔部の内壁との隙間を埋めるＯリングと
を備える給湯器において、
前記フィルタ部は、前記操作部に対して前記同軸上において相対的に回転可能に設けられ、
前記Ｏリングは、前記フィルタ部に装着されること
を特徴とする給湯器。
【請求項２】
前記操作部の外周面には、径方向外側に突出する一又は複数の突出部が設けられたこと
を特徴とする請求項１に記載の給湯器。
【請求項３】
前記フィルタ部は、前記孔部内において前記同軸上に配置され、前記操作部の先端部に対して相対的に回転可能に連結される略円柱状の連結部を備え、
前記フィルタ部は、前記連結部により前記流路内に支持され、
前記Ｏリングは、前記連結部の外周面に装着され、前記孔部の前記内壁との隙間を埋めること
を特徴とする請求項１又は２に記載の給湯器。
【請求項４】
給湯器の筐体の底部に固定される入水側接続部材であって、
前記入水側接続部材は、
水供給管が接続され、当該水供給管から供給される水が流入する入口と、当該入口から流入した水が流れる流路とを備える本体部と、
前記本体部に着脱可能に設けられるフィルタ栓と
を備え、
前記フィルタ栓は、
前記本体部の前記流路と連通する孔部に螺合可能に取り付けられ、使用者によって一軸線を中心に回転操作される操作部と、
前記操作部と同軸上に形成され、前記孔部を介して前記流路内に配置されることで、前記流路を流れる水から異物を除去するフィルタ部と、
前記孔部の内壁との隙間を埋めるＯリングと
を備え、
前記フィルタ部は、前記操作部に対して前記同軸上において相対的に回転可能に設けられ、
前記Ｏリングは、前記フィルタ部に装着されること
を特徴とする入水側接続部材。
【発明の詳細な説明】
【技術分野】
【０００１】
本発明は、給湯器及び入水側接続部材に関する。
【背景技術】
【０００２】
従来、給湯器に給水する給水系等の水通路配管の随所にネジ込み式の排水栓を設けた給湯器が知られている（例えば、特許文献１参照）。排水栓は、操作部と、固定用雄ネジ部と、大径軸部に設けた通水フィルタとを一体的に形成し、大径軸部には、水漏れ防止用のＯリングが装着される。排水栓は、固定用雄ネジ部を、排水管部に形成された雌ネジ部に螺合させることで、排水管部に固定される。Ｏリングは、排水管部内に形成された通路壁面に密着することで、排水栓からの水漏れを防止する。排水栓は、操作部を回転させて進退させることで、排水管部から着脱できる。
【先行技術文献】
【特許文献】
【０００３】
【特許文献１】特開２００２−１８８７３６号公報
【発明の概要】
【発明が解決しようとする課題】
【０００４】
特許文献１に記載の排水栓は、操作部の回転に伴ってＯリングも回転してしまう。それ故、例えば、排水栓を取り外す際、Ｏリングは回転しながら外方に引き出されることから、排水管部内の通路壁面との摺動抵抗が大きくなってしまい、Ｏリングの表面が排水管部内の通路壁面との摩擦で削られてしまうという問題点があった。この結果、Ｏリングによるシール性が低下したり、削り滓が給湯器内に侵入する可能性があった。
【０００５】
本発明の目的は、入水側接続部材のフィルタ栓の着脱の際、操作部を回転しても本体部内でＯリングが回転しない給湯器及び入水側接続部材を提供することである。
【課題を解決するための手段】
【０００６】
請求項１の給湯器は、筐体の底部に固定される入水側接続部材を備え、前記入水側接続部材は、水供給管が接続され、当該水供給管から供給される水が流入する入口と、当該入口から流入した水が流れる流路を備える本体部と、前記本体部に着脱可能に設けられるフィルタ栓とを備え、前記フィルタ栓は、前記本体部の前記流路と連通する孔部に螺合可能に取り付けられ、使用者によって一軸線を中心に回転操作される操作部と、前記操作部と同軸上に形成され、前記孔部を介して前記流路内に配置されることで、前記流路を流れる水から異物を除去するフィルタ部と、前記孔部の内壁との隙間を埋めるＯリングとを備える給湯器において、前記フィルタ部は、前記操作部に対して前記同軸上において相対的に回転可能に設けられ、前記Ｏリングは、前記フィルタ部に装着されることを特徴とする。
【０００７】
請求項２の給湯器の前記操作部の外周面には、径方向外側に突出する一又は複数の突出部が設けられるとよい。
【０００８】
請求項３の給湯器の前記フィルタ部は、前記孔部内において前記同軸上に配置され、前記操作部の先端部に対して相対的に回転可能に連結される略円柱状の連結部を備え、前記フィルタ部は、前記連結部により前記流路内に支持され、前記Ｏリングは、前記連結部の外周面に装着され、前記孔部の前記内壁との隙間を埋めるとよい。
【０００９】
請求項４の入水側接続部材は、給湯器の筐体の底部に固定される入水側接続部材であって、前記入水側接続部材は、水供給管が接続され、当該水供給管から供給される水が流入する入口と、当該入口から流入した水が流れる流路とを備える本体部と、前記本体部に着脱可能に設けられるフィルタ栓とを備え、前記フィルタ栓は、前記本体部の前記流路と連通する孔部に螺合可能に取り付けられ、使用者によって一軸線を中心に回転操作される操作部と、前記操作部と同軸上に形成され、前記孔部を介して前記流路内に配置されることで、前記流路を流れる水から異物を除去するフィルタ部と、前記孔部の内壁との隙間を埋めるＯリングとを備え、前記フィルタ部は、前記操作部に対して前記同軸上において相対的に回転可能に設けられ、前記Ｏリングは、前記フィルタ部に装着されることを特徴とする。
【発明の効果】
【００１０】
請求項１の給湯器によれば、操作部に対して、Ｏリングが装着されるフィルタ部が相対的に回転可能に設けられる。これにより、フィルタ栓の本体部への螺合、又は螺合を解除する為に操作部を回転させる場合、Ｏリングは孔部内で回転しない。これにより、フィルタ栓を着脱する際、Ｏリングと孔部の内壁との摺動抵抗を効果的に低減できるので、Ｏリングの表面が孔部の内壁との摩擦等ですり減るのを防止できる。よって、孔部の内壁との間のシール性が低下して漏水したり、削り滓等が給湯器内に侵入するのを防止できる。
【００１１】
請求項２の給湯器によれば、本体部の孔部からフィルタ栓を取り外す際、突出部に手を掛けることによって、孔部から外方に向けてフィルタ栓を容易に引き抜くことができる。
【００１２】
請求項３の給湯器によれば、孔部内に配置された連結部の外周面にＯリングが装着されるので、Ｏリングは、連結部の外周面と孔部の内壁との隙間を埋めることができる。操作部を回転させた場合、Ｏリングは回転せずに、孔部の内壁に密着した状態を維持できる。これにより、Ｏリングが摩擦等ですり減るのを防止できる。
【００１３】
請求項４の入水側接続部材によれば、請求項１と同様の効果を得ることができる。
【図面の簡単な説明】
【００１４】
【図１】給湯器１の正面図である。
【図２】入水側接続管５の正面図である。
【図３】入水側接続管５の分解斜視図である。
【図４】入水側接続管５の縦断面図である。
【図５】本体部１０からフィルタ栓２０を取り外した状態の断面図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００１６】
図１を参照し、給湯器１の入水側接続管５を説明する。給湯器１の底部には、入水側接続管５が設けられる。入水側接続管５は、給湯器１の筐体内において水が流れる内部経路の上流側端部に接続される。入水側接続管５には、水供給管（図示略）が接続される。入水側接続管５は、水供給管から供給された水をフィルタリングする。給湯器１は、入水側接続管５から流入した水をバーナ及び熱交換器等によって加熱し、湯として外部に供給可能である。給湯器１において、入水側接続管５以外の構造は周知なので説明を省略する。
【００１７】
図２〜図５を参照し、入水側接続管５の構造を説明する。なお、図２〜図５における入水側接続管５の向きは、説明の便宜上、図中の矢印で示す前後左右を用いるものとし、図１に示す向きとは一致しないものである。入水側接続管５は、本体部１０とフィルタ栓２０を備える。本体部１０は金属部品である。
【００１８】
図２、図３、図５を参照し、本体部１０の構造を説明する。本体部１０は、第一給水管部１１、第二給水管部１２、第三給水管部１３、排水管部１４、固定板部１６等を備える。第一給水管部１１は下方から上方に延び、内部に第一給水流路１０１（図５参照）を備える。第一給水管部１１の下端部には、第一給水流路１０１の入口１１０が設けられる。第一給水流路１０１は、入口１１０から第一給水管部１１に沿って上方に延びる。第一給水管部１１の入口１１０側の外周面には、径の大きい接続部１１２が設けられる。接続部１１２の上面部には、段部１１３設けられる。接続部１１２の外周面には、雄螺子部１１５が設けられる。雄螺子部１１５には、水供給管の一端部を接続する為のナット（図示略）が締結される。これにより、第一給水管部１１の入口１１０に対して、水供給管の一端部が接続される。
【００１９】
第二給水管部１２は、第一給水管部１１の上端部から右方向に延び、内部に第二給水流路１０２（図５参照）を備える。第二給水流路１０２は、第一給水流路１０１の上端部と連通し、該上端部から第二給水管部１２に沿って右方に延びる。第三給水管部１３は、第二給水管部１２の右端部から上方に延び、内部に第三給水流路１０３（図５参照）を備える。第三給水流路１０３は、第二給水流路１０２の右端部と連通し、第三給水管部１３に沿って上方に延びる。第三給水管部１３の上端部には、第三給水流路１０３の出口１３０が設けられる。出口１３０は、給湯器１の筐体内の内部経路の上流側端部に接続される。
【００２０】
排水管部１４は、第二給水管部１２の右端部から右方に延び、内部に排水流路１０４（図５参照）を備える。排水流路１０４は、第二給水流路１０２の右端部と連通し、排水管部１４に沿って右方に延びる。排水管部１１４の右端部には、排水流路１０４の出口である排水出口１４０が設けられる。図５に示すように、排水流路１０４の排水出口１４０側には、径方向外側に拡径する拡径部１０５が設けられる。拡径部１０５の内周面であって、排水出口１４０側には、雌螺子部１０６が設けられる。雌螺子部１０６には、フィルタ栓２０の後述する雄螺子部４５が締結する。
【００２１】
固定板部１６は、第三給水管部１３の外周面における第二給水管部１２側の部分から径方向外側にフランジ状に突出し、平面視略矩形状に形成される（図３参照）。固定板部１６の四隅には、上下方向に貫通する固定穴１８が設けられる。給湯器１の内部経路の上流側端部に対し、入水側接続管５の出口１３０を接続した状態で、固定板部１６は、給湯器１の底部に下方から当接する。四つの固定穴１８は、給湯器１の底部に設けられた四つの給湯器側固定穴に相対する。四つの固定穴１８を介して、四つの給湯器側固定穴に螺子を締結することで、入水側接続管５が給湯器１の底部に固定される。
【００２２】
図３、図５を参照し、フィルタ栓２０の構造を説明する。フィルタ栓２０は、本体部１０の排水管部１４の排水出口１４０から排水流路１０４内に挿入し、後述する雄螺子部４５を雌螺子部１０６に螺合させることで、排水管部１４に着脱可能に固定される。
【００２３】
フィルタ栓２０は、フィルタ部３０と操作部４０を備える。フィルタ部３０は、フィルタ本体部３１と連結部３２を同軸上に一体して備える。フィルタ本体部３１は、枠体３１１とフィルタ３１２を備える。枠体３１１は、樹脂で形成された略円筒状の骨組みである。フィルタ３１２は、例えば金属製のメッシュの入った網で略円筒状に形成され、枠体３１１によって支持される。連結部３２は樹脂製の短軸円柱体であって、フィルタ本体部３１の軸線方向一端部と同軸上に一体して連結される。連結部３２の外周面の幅方向中央部には、溝３２１が周方向に設けられる。溝３２１の内側には、樹脂製のＯリング６０が装着される。Ｏリング６０の径方向外側の一部は、溝３２１から外方に突出する。なお、Ｏリング６０の材質は弾性を有する材質であればよく、例えばゴム等でもよい。
【００２４】
連結部３２の右端面の中心部には、右方に突出する略円柱状の突出部３３が設けられる。その突出部３３の右端面の中心部には、更に右方に突出する軸部３４が設けられる。軸部３４は右方に向かって先細り状に形成され、その先端部の角部はテーパ状に形成される。その軸部３４の外周面における突出部３３に隣接する部分には、溝３４１が周方向に設けられる。
【００２５】
操作部４０は、左右方向に延びる略円筒状に形成される。操作部４０の外周面には、右側から側に向かって順に、ツマミ部４１、大径部４２、フランジ部４４、雄螺子部４５が夫々形成される。ツマミ部４１は歯車状に形成され、作業者が手でつまんで回転させる部位である。その外周面には、滑り防止用の複数の突起部４１１が周方向に並んで設けられる。ツマミ部４１の右端部であって、径方向中心部を介して互いに対向する部分には、一対の切欠き溝４１２が設けられる。切欠き溝４１２は、径方向に延びる溝であって、図示しない工具の先端を差し込み可能である。
【００２６】
大径部４２は、ツマミ部４１の左面に一体して設けられ、ツマミ部４１と同軸で且つツマミ部４１の径よりも大きい径を有する略リング状に形成される。大径部４２の外周部における十字方向の箇所には、四本の引出用突起４２１が径方向外側に突出して設けられる。引出用突起４２１は、ツマミ部４１の突起部４１１よりも径方向外側に突出する。フランジ部４４は、大径部４２よりも左方に少し離間した位置に設けられ、径方向外側にフランジ状に突出する。フランジ部４４の突出高さは、引出用突起４２１の突出高さよりも低い。大径部４２とフランジ部４４の間には、溝部４３が形成される。雄螺子部４５は、フランジ部４４と操作部４０の左端部の間に設けられる。操作部４０の左端部には、径方向内側に突出するリング状の底部４８が設けられ、その中央部には、左右方向に貫通する円形状の穴部４８Ａが設けられる。
【００２７】
図３、図５を参照し、フィルタ部３０と操作部４０の連結構造を説明する。フィルタ部３０の連結部３２の右端面に設けられた軸部３４は、操作部４０の左端部に設けられた底部４８の穴部４８Ａに挿入される。軸部３４は、穴部４８Ａを介して操作部４０の内部に配置される。軸部３４の溝３４１も、操作部４０の内部に配置される。溝３４１に対して、抜け止めリング５０が装着される。抜け止めリング５０は、底部４８の右面に係止する。突出部３３は、穴部４８Ａの内側に配置される。これにより、フィルタ部３０は、突出部３３と抜け止めリング５０を介して、操作部４０に対して回転可能に連結する。
【００２８】
図４、図５を参照し、本体部１０に対するフィルタ栓２０の装着方法の一例を説明する。図５に示すように、作業者はフィルタ栓２０のツマミ部４１を持ち、本体部１０の排水管部１４の排水出口１４０に対して、フィルタ部３０を挿入する。フィルタ部３０は、雌螺子部１０６を通過し、排水流路１０４及び第二給水流路１０２内に配置される。操作部４０の雄螺子部４５の左端部は、排水管部１４の雌螺子部１０６の右端部に接触する。作業者は、ツマミ部４１を所定方向に回転することによって、雄螺子部４５を雌螺子部１０６に螺合させる。雄螺子部４５を所定方向に回転するにつれて、操作部４０は左方に移動する。これに伴い、フィルタ部３０も、排水流路１０４及び第二給水流路１０２内を左方に移動する。
【００２９】
操作部４０のフランジ部４４が、本体部１０の排水管部１４の排水出口１４０の端部に当接すると、ツマミ部４１は所定方向において回転不能になる。このとき、フィルタ本体部３１は、第二給水流路１０２内において、第三給水流路１０３の入口に対向するように配置される。このようにして、本体部１０に対するフィルタ栓２０の装着が完了する。
【００３０】
フィルタ栓２０が装着した状態において、第一給水管部１１の入口１１０から流入した水は、第一給水流路１０１及び第二給水流路１０２を順に流れ、フィルタ本体部３１のフィルタ３１２を通過し、第三給水流路１０３に流れ、出口１３０から流出する（図４中の二点鎖線参照）。
【００３１】
ここで、操作部４０の連結部３２は、排水流路１０４内に配置される。よって、連結部３２の溝３２１に装着されたＯリング６０は、排水流路１０４の内壁面との間に挟まれ、潰れた状態で密着する。これにより、排水管部１４とフィルタ栓２０の隙間は密閉されるので、当該部分から水漏れが生じるのを防止でできる。
【００３２】
なお、図１に示すように、入水側接続管５において、本体部１０とフィルタ栓２０の間に落下防止部材７０を連結するとよい。落下防止部材７０は、本体部１０からフィルタ栓２０を取り外したときに、本体部１０からフィルタ栓２０が落下するのを防止する。これにより、フィルタ栓２０が紛失するのを防止できる。なお、落下防止部材７０は、例えば、可撓性を有する薄い樹脂シートを加工して形成するとよい。
【００３３】
図４を参照し、本体部１０からフィルタ栓２０を取り外すときのフィルタ部３０の動きを説明する。フィルタ栓２０を本体部１０から取り外す為に、作業者は、水供給管から給湯器１への給水を停止した状態で、フィルタ栓２０のツマミ部４１を所定方向とは反対方向に回転させる。すると、排水管部１４の雌螺子部１０６に対し、操作部４０の雄螺子部４５は右方に移動するので、操作部４０は右方に向けて移動する。ここで、フィルタ部３０は、突出部３３及び抜け止めリング５０において操作部４０に対して回転可能に連結するので、操作部４０のみが回転するだけで、本体部１０内部においてフィルタ部３０は回転しない。
【００３４】
この状態で、ツマミ部４１を反対方向に回転し続けると、操作部４０と共に、フィルタ部３０は第二給水流路１０２及び排水流路１０４内を右方に移動する。このとき、Ｏリング６０は、排水流路１０４内を回転することなく、右方に向けて最短距離で拡径部１０５側に引き出される。これにより、入水側接続管５は、Ｏリング６０がツマミ部と共に回転しながら引き出される従来の構造に比べ、排水流路１０４の内壁面に対するＯリング６０の摺動抵抗を低減できる。よって、入水側接続管５は、排水管部１４の排水流路１０４の内壁面との摩擦でＯリング６０の表面が摩耗するのを効果的に軽減できる。
【００３５】
そして、雄螺子部４５が雌螺子部１０６に対して右方に抜けたとき、Ｏリング６０は、拡径部１０５側に引き出されるようになっている。拡径部１０５側に抜けたＯリング６０は、弾性力で元の形状に戻る。この状態から作業者は、ツマミ部４１をそのまま右方に引き抜くことによって、フィルタ栓２０全体を本体部１０から容易に取り外すことができる。
【００３６】
また、ツマミ部４１を右方に引き抜く際、ツマミ部４１を引く抜く方向に対して、ツマミ部４１の複数の突起部４１１の表面が平行であるので、ツマミ部４１の複数の突起部４１１に対して指が滑ることが想定される。そこで、作業者は、大径部４２の引出用突起４２１に対し左方から指を掛けた状態で、右方に引き出すことで、操作部４０に対して指が滑ることなく、フィルタ栓２０を本体部１０から容易に取り外すことができる。
【００３７】
なお、本実施形態では、本体部１０からフィルタ栓２０を取り外すことによって、給湯器１内の水は、筐体内の内部経路から出口１３０を介して入水側接続管５の本体部１０内に流入し、第三給水流路１０３、第二給水流路１０２、排水流路１０４を流れて、排水出口１４０から外部に排出される。
【００３８】
上記説明において、第一給水流路１０１、第二給水流路１０２、第三給水流路１０３は、本発明の「流路」の一例である。入水側接続管５は、本発明の「入水側接続部材」の一例である。排水流路１０４は、本発明の「孔部」の一例である。大径部４２の四本の引出用突起４２１は、本発明の「突出部」の一例である。
【００３９】
以上説明したように、本実施形態の給湯器１は、筐体の底部に入水側接続管５を備える。入水側接続管５は、本体部１０とフィルタ栓２０を備える。本体部１０は、入口１１０、第一給水流路１０１、第二給水流路１０２、第三給水流路１０３、排水流路１０４、出口１３０、排水出口１４０を備える。排水流路１０４の内壁面には、雌螺子部１０６が形成される。フィルタ栓２０は、本体部１０に着脱可能に設けられ、第二給水流路１０２を流れる水から異物を除去する。
【００４０】
フィルタ栓２０は、操作部４０とフィルタ部３０を備える。操作部４０は、本体部１０の雌螺子部１０６に螺合可能に取り付けられ、使用者によって一軸線を中心に回転操作される。フィルタ部３０は、操作部４０と同軸上に形成され、第二給水流路１０２を流れる水から異物を除去する。フィルタ部３０は、操作部４０に対して同軸上において相対的に回転可能に設けられる。フィルタ部３０には、Ｏリング６０が装着される。Ｏリング６０は、排水流路１０４の内壁面との隙間を埋める。これにより、フィルタ栓２０の本体部１０への螺合、又は螺合を解除する為に操作部４０を回転させる場合でも、Ｏリング６０は排水流路１０４内で回転しない。これにより、フィルタ栓２０を着脱する際、排水流路１０４の内壁面に対するＯリング６０の摺動抵抗を低減できるので、Ｏリング６０が排水流路１０４の内壁面との摩擦等ですり減るのを防止できる。よって、排水流路１０４の内壁面との間のシール性が低下して漏水したり、削り滓等が給湯器１内に侵入するのを防止できる。
【００４１】
なお、本発明は上記実施形態に限定されるものではなく、種々の変更が可能である。例えば、入水側接続管５の操作部４０の大径部４２には、四本の引出用突起４２１が設けられるが、四本に限らず、一本でも複数本でもよい。また、引出用突起４２１は省略してもよい。
【００４２】
入水側接続管５は、本体部１０内に、入口１１０と出口１３０の間に、第一給水流路１０１、第二給水流路１０２、第三給水流路１０３を備えるが、その流路形状については、上記実施形態に限定されない。
【００４３】
入水側接続管５の給湯器１への固定は、固定板部１６を給湯器１の底部に螺子で固定することで行われるが、これ以外の方法で固定できるようにしてもよい。
【００４４】
落下防止部材７０は、状況に応じて省略してもよい。落下防止部材７０の材質、形状等についても自由に変更可能である。
【符号の説明】
【００４５】
１      給湯器
５      入水側接続管
１０      本体部
２０      フィルタ栓
３０      フィルタ部
３２      連結部
３３      突出部
３４      回転支軸
４０      操作部
６０      Ｏリング
１０１      第一給水流路
１０２      第二給水流路
１０３      第三給水流路
１０４      排水流路
１１０      入口
１３０      出口
１４０      排水出口
４２１      引出用突起
【図１】
2020079653.tif 000003
【図２】
2020079653.tif 000004
【図３】
2020079653.tif 000005
【図４】
2020079653.tif 000006
【図５】
2020079653.tif 000007